(57)【要約】【課題】発信側端末から着信側端末へ音声または動画のメッセージをリアルタイムで送信するとともに、メッセージがリアルタイムで着信側端末のユーザに伝えられるか否かを、着信側端末の着信モードが留守番電話モードに設定されているか否かに左右されることなく、発信側端末が指定できるようにすること。【解決手段】発信側端末１１０において、形成部１１１は、着信側端末１５０の着信モードを留守番電話モードおよび非留守番電話モードのいずれかに指定する着信モード指定情報を形成する。送信部１１２は、形成された着信モード指定情報を送信する。また、着信側端末１５０において、受信部１５１は、送信された着信モード指定情報を受信する。設定部１５２は、受信された着信モード指定情報に従って着信モードを留守番電話モードおよび非留守番電話モードのいずれかに設定する。【選択図】図１３
2007142579.tif 000002
【特許請求の範囲】
【請求項１】
発信側端末と、着信側端末と、を有し、
前記発信側端末は、
前記着信側端末の着信モードを留守番電話モードおよび非留守番電話モードのいずれかに指定する情報を形成する形成手段と、
形成された情報を送信する送信手段と、を有し、
前記着信側端末は、
送信された情報を受信する受信手段と、
受信された情報に従って前記着信モードを留守番電話モードおよび非留守番電話モードのいずれかに設定する設定手段と、
を具備する通信システム。
【請求項２】
前記形成手段は、
音声メッセージが記録される第１の留守番電話モードおよび動画付き音声メッセージが記録される第２の留守番電話モードを含む複数のモードの中のいずれかを前記留守番電話モードとして指定する情報を形成し、
前記設定手段は、
受信された情報に従って、前記着信モードを前記第１の留守番電話モードおよび前記第２の留守番電話モードのいずれかに設定する、
請求項１記載の通信システム。
【請求項３】
前記形成手段は、
前記留守番電話モードに指定するとともにメッセージの保存先を指定する情報を形成し、
前記設定手段は、
受信された情報に従って前記保存先を設定する、
請求項１記載の通信システム。
【請求項４】
前記保存先として指定された場合に前記メッセージを保存するサーバをさらに有し、
前記形成手段は、
前記保存先を前記着信側端末および前記サーバのいずれかに指定する情報を形成し、
前記設定手段は、
受信された情報に従って、前記保存先を前記着信側端末および前記サーバのいずれかに設定する、
請求項３記載の通信システム。
【請求項５】
前記着信側端末は、
メモリ部と、
リムーバブルメディアに接続される接続部と、
前記メモリ部に、および前記接続部を介して前記リムーバブルメディアに、前記メッセージを保存する保存手段と、をさらに有し、
前記形成手段は、
前記保存先を前記メモリ部および前記リムーバブルメディアのいずれかに指定する情報を形成し、
前記設定手段は、
受信された情報に従って、前記保存先を前記メモリ部および前記リムーバブルメディアのいずれかに設定する、
請求項４記載の通信システム。
【請求項６】
前記設定手段は、
前記メモリ部およびリムーバブルメディアのいずれかにおいて前記メッセージを保存する空き容量が不足する場合に、前記メッセージ保存先を前記サーバに設定する、
請求項５記載の通信システム。
【請求項７】
前記設定手段は、
前記着信モードを留守番電話モードおよび非留守番電話モードのいずれかに予め設定しておき、受信された情報において指定されたモードと予め設定されたモードとが相違したときに、前記着信モードを、前記指定されたモードおよび前記予め設定されたモードのどちらに設定すべきかを判断する、
請求項１記載の通信システム。
【請求項８】
前記着信側端末は、
前記着信モードの指定が許可された端末をリストに登録する登録手段をさらに有し、
前記設定手段は、
前記発信側端末が前記リストに登録されているか否かに応じて判断する、
請求項７記載の通信システム。
【請求項９】
前記着信側端末は、
前記着信側端末に固有の認証情報を予め記憶する記憶手段をさらに有し、
前記設定手段は、
前記発信側端末から前記認証情報が入力されたか否かに応じて判断する、
請求項８記載の通信システム。
【請求項１０】
前記設定手段は、
前記保存先を予め設定しておき、受信された情報において指定された保存先と予め設定された保存先とが相違したときに、前記保存先を、前記指定された保存先および前記予め設定された保存先のどちらに設定すべきかを判断する、
請求項３記載の通信システム。
【請求項１１】
前記着信側端末は、
前記保存先の指定が許可された端末をリストに登録する登録手段をさらに有し、
前記設定手段は、
前記発信側端末が前記リストに登録されているか否かに応じて判断する、
請求項１０記載の通信システム。
【請求項１２】
前記着信側端末は、
前記着信側端末に固有の認証情報を予め記憶する記憶手段をさらに有し、
前記設定手段は、
前記発信側端末から前記認証情報が入力されたか否かに応じて判断する、
請求項１１記載の通信システム。
【請求項１３】
前記形成手段は、
前記留守番電話モードに指定するとともにメッセージの保存期間を指定する情報を形成し、
前記設定手段は、
受信された情報に従って前記保存期間を設定する、
請求項１記載の通信システム。
【請求項１４】
前記設定手段は、
前記保存期間を予め設定しておき、受信された情報において指定された保存期間と予め設定された保存期間とが相違したときに、前記保存期間を、前記指定された保存期間および前記予め設定された保存期間のどちらに設定すべきかを判断する、
請求項１３記載の通信システム。
【請求項１５】
前記着信側端末は、
前記の指定が許可された端末をリストに登録する登録手段をさらに有し、
前記設定手段は、
前記発信側端末が前記リストに登録されているか否かに応じて判断する、
請求項１４記載の通信システム。
【請求項１６】
前記着信側端末は、
前記着信側端末に固有の認証情報を予め記憶する記憶手段をさらに有し、
前記設定手段は、
前記発信側端末から前記認証情報が入力されたか否かに応じて判断する、
請求項１５記載の通信システム。
【請求項１７】
他の通信端末の着信モードを留守番電話モードおよび非留守番電話モードのいずれかに指定する情報を形成する形成手段と、
形成された情報を前記他の通信端末に送信する送信手段と、
を有する通信端末。
【請求項１８】
留守番電話モードおよび非留守番電話モードのいずれかに指定する情報を他の通信端末から受信する受信手段と、
受信された情報に従って着信モードを留守番電話モードおよび非留守番電話モードのいずれかに設定する設定手段と、
を有する通信端末。
【請求項１９】
着信側端末の着信モードを留守番電話モードおよび非留守番電話モードのいずれかに指定する情報を発信側端末において形成するステップと、
形成された情報を発信側端末から前記着信側端末に送信するステップと、
送信された情報に従って前記着信側端末の着信モードを留守番電話モードおよび非留守番電話モードのいずれかに設定するステップと、
を有する通信方法。
【発明の詳細な説明】
【技術分野】
【０００１】
本発明は、通信システム、通信端末および通信方法に関し、特に、音声通話およびＴＶ電話等の複数のモードが用いられる通信システム、通信端末および通信方法に関する。
【背景技術】
【０００２】
近年、携帯電話端末の機能およびサービスの充実が重視されている。従来の携帯電話端末機能およびサービスとしては、例えば、マナーモード機能、カメラ機能、音楽再生機能、留守番電話サービス、メールサービスおよびパソコンへのデータ転送サービスが挙げられる。メールサービスは、発信者が伝えたい文章、音声または動画を発信側端末から着信側端末へ電子メールで送信するサービスである。
【０００３】
また、例えば特許文献１には、着信者以外の発信者等が着信側端末への着信通知方式を指定する着信通知方式指定システムが開示されている。つまり、発信側端末における発信時に、電話番号の入力に続けて、着信側端末における着信の通知方式の指定が入力されることにより、着信側端末において指定された着信通知方式により着信が通知される。よって、着信通知方式を着信者が常に場所、時間等に応じた通知方式への設定を意識しなくても、適切な着信を行うことができる。
【０００４】
また、例えば特許文献２には、携帯電話機を音声報知させないで呼出する移動体通信システムが開示されている。つまり、移動体通信交換局が着信側端末に対して、呼出音で報知させない予め定められた特殊呼出信号と発信した電話機の電話番号とを送出する。
【特許文献１】特開２００４−６４５６２号公報
【特許文献２】特開２００１−２７５１５６号公報
【発明の開示】
【発明が解決しようとする課題】
【０００５】
しかしながら、従来の携帯電話システムでは、発信者が伝えたい文書、音声または動画を発信側端末から着信側端末へ送信するには、この文章、音声または動画をあらかじめ用意し、一度発信側端末のメモリに保存してからメールに添付して送信しなければならないため、タイムラグが発生する。
【０００６】
また、発信者は発信側端末のメモリに空き領域が不足する場合に、空き領域を確保してから伝えたい文章、音声または動画を用意しなければならないという手間が発生する。
【０００７】
また、発信者は着信側端末のメールアドレス情報を持ち合わせていない場合に、伝えたい文書、音声または動画をメールに添付して発信側端末から着信側端末へ送信することができない。
【０００８】
さらに、発信者が緊急で着信者と連絡を取りたい場合に、着信側端末が留守番電話モードに設定されていると、留守番電話モードでない通常の音声通話およびＴＶ電話を行うことができないため、発信側は着信者と連絡を取ることができない。また、発信者が着信者に音声または動画を伝えたいが今すぐには伝えたくない場合に、着信側端末が留守番電話モードに設定されていないと、通常の音声通話またはＴＶ電話を行わざるを得ず、音声または動画がすぐに伝えられることとなる。
【０００９】
本発明は、かかる点に鑑みてなされたもので、発信側端末から着信側端末へ音声または動画のメッセージをリアルタイムで送信することができるとともに、メッセージがリアルタイムで着信側端末のユーザに伝えられるか否かを、着信側端末の着信モードが留守番電話モードに設定されているか否かに左右されることなく、発信側端末が指定することができる通信システム、通信端末および通信方法を提供することを目的とする。
【課題を解決するための手段】
【００１０】
本発明の通信システムは、発信側端末と着信側端末とを有し、前記発信側端末は、前記着信側端末の着信モードを留守番電話モードおよび非留守番電話モードのいずれかに指定する情報を形成する形成手段と、形成された情報を送信する送信手段と、を有し、前記着信側端末は、送信された情報を受信する受信手段と、受信された情報に従って前記着信モードを留守番電話モードおよび非留守番電話モードのいずれかに設定する設定手段と、を具備する構成を採る。
【００１１】
本発明の通信端末は、他の通信端末の着信モードを留守番電話モードおよび非留守番電話モードのいずれかに指定する情報を形成する形成手段と、形成された情報を前記他の通信端末に送信する送信手段と、を具備する構成を採る。
【００１２】
本発明の通信端末は、留守番電話モードおよび非留守番電話モードのいずれかに指定する情報を他の通信端末から受信する受信手段と、受信された情報に従って着信モードを留守番電話モードおよび非留守番電話モードのいずれかに設定する設定手段と、を具備する構成を採る。
【００１３】
本発明の通信方法は、着信側端末の着信モードを留守番電話モードおよび非留守番電話モードのいずれかに指定する情報を発信側端末において形成するステップと、形成された情報を発信側端末から前記着信側端末に送信するステップと、送信された情報に従って前記着信側端末の着信モードを留守番電話モードおよび非留守番電話モードのいずれかに設定するステップと、を具備するようにした。
【発明の効果】
【００１４】
本発明によれば、発信側端末から着信側端末へ音声または動画のメッセージをリアルタイムで送信することができるとともに、メッセージがリアルタイムで着信側端末のユーザに伝えられるか否かを、着信側端末の着信モードが留守番電話モードに設定されているか否かに左右されることなく、発信側端末が指定することができる通信システム、通信端末および通信方法を提供することができる。
【発明を実施するための最良の形態】
【００１５】
以下、本発明の実施の形態について、図面を用いて詳細に説明する。
【００１６】
図１は、本発明の一実施の形態に係る通信システムの一例である、移動体通信システム１００の概略図である。図１に示す移動体通信システム１００は、発信側端末１１０としての通信端末、基地局１２０、センターサーバ１３０、基地局１４０および着信側端末１５０としての通信端末を有する。本実施の形態では、発信側端末１１０で着信側端末１５０の着信モードを指定し、着信側端末１５０は発信側端末１１０により指定された着信モードに基づいて着信する。
【００１７】
この移動体通信システム１００において、発信側端末１１０は基地局１２０と通信を行う。基地局１２０は、発信側端末１１０、センターサーバ１３０および基地局１４０と通信を行う。センターサーバ１３０は、基地局１２０および基地局１４０と通信を行う。基地局１４０は、基地局１２０、センターサーバ１３０および着信側端末１５０と通信を行う。着信側端末１５０は基地局１４０と通信を行う。移動体通信システム１００内で送受信される情報およびその送受信手順については、後述する。
【００１８】
発信側端末１１０は、着信側端末１５０の着信モードを指定することができる移動体通信端末である。つまり、発信側端末１１０は、従来の通話の発信要求だけではなく、着信側端末１５０の電話番号およびそれに続いて入力された着信モード指定情報を送信することで、着信側端末１５０の着信モードを指定可能とする移動体通信端末である。
【００１９】
また、発信側端末１１０は、図２に示されるように、形成部１１１および送信部１１２を有する。
【００２０】
形成部１１１は、着信側端末１５０の着信モードを留守番電話モードおよび非留守番電話モードのいずれかに指定する着信モード指定情報を形成する。本実施の形態では、留守番電話モードは、音声メッセージ記録留守番電話モードおよび動画付き音声メッセージ記録留守番電話モードを含む。ただし、本発明の留守番電話モードが含み得るモードはこれらの２つのものだけに限定されない。また、本実施の形態では、非留守番電話モードは、音声通話モードおよびＴＶ電話モードを含む。ただし、本発明の非留守番電話モードが含み得るモードはこれらの２つのものだけに限定されない。
【００２１】
送信部１１２は、形成部１１１により形成された情報、例えば着信モード指定情報を、アンテナを介して基地局１２０に送信する。
【００２２】
また、発信側端末１１０は、基地局１２０から送信された信号を受信するための受信部（図示せず）をさらに有しても良い。
【００２３】
着信側端末１５０は、受信した着信モード指定情報に基づいて着信することができる移動体通信端末である。つまり、着信側端末１５０は、基地局１４０から送信された着信モード指定情報を受信し、受信した着信モード指定情報に基づいて着信するための処理を行う。そして、着信端末１５０は、どの着信モードで着信するかを決定し、決定した着信モードで着信を行う。
【００２４】
また、着信側端末１５０は、図３に示されるように、受信部１５１および設定部１５２を有する。
【００２５】
受信部１５１は、基地局１４０から送信された情報、例えば着信モード指定情報を、アンテナを介して受信する。
【００２６】
設定部１５２は、受信部１５１により受信された着信モード指定情報に基づいて着信モードを留守番電話モードおよび非留守番電話モードのいずれかに設定する。
【００２７】
また、着信側端末１５０は、基地局１４０に信号を送信するための送信部（図示せず）と、受信部１５１によって受信された情報およびメッセージ（音声メッセージおよび動画付き音声メッセージ等）を保存するためのメモリ部（図示せず）と、リムーバブルメディアに接続される接続部（図示せず）と、をさらに有しても良い。
【００２８】
なお、発信側端末１１０としての通信端末は、着信側端末１５０の構成をさらに有しても良い。また、着信側端末１５０としての移動体通信端末は、発信側端末１１０の構成をさらに有しても良い。
【００２９】
ここで、発信側端末１１０から着信側端末１５０に送信される情報について、図４から図８を用いて説明する。
【００３０】
図４は、発信側端末１１０において入力される入力情報の一例を示す図である。
【００３１】
入力情報は、電話番号を示す情報２００と、指定された着信モードを示す情報（着信モード指定情報）３００と、を含む。発信側端末１１０において、着信側端末１５０の電話番号に続いて、着信モードが指定される情報（着信モード指定情報）３００が入力されたとき、形成部１１１によって、このような入力情報が形成される。着信モード指定情報３００の内容は、着信モードが何に指定されるかによって異なる。着信モード指定情報３００の内容の具体例は、図５から図８に示される。
【００３２】
図５は、着信モードが音声通話モードに指定された場合に形成される入力情報を示す図である。
【００３３】
発信側端末１１０において、着信側端末１５０の電話番号に続いて、着信モードが音声通話モードに指定されることを表す情報（音声通話モード指定情報）３１０として例えば「００」という数値が入力されたとき、形成部１１１によって、このような入力情報が形成される。
【００３４】
図６は、着信モードがＴＶ電話モードに指定された場合に形成される入力情報を示す図である。
【００３５】
発信側端末１１０において、着信側端末１５０の電話番号に続いて、着信モードがＴＶ電話モードに指定されることを表す情報（ＴＶ電話モード指定情報）３２０として例えば「０１」という数値が入力されたとき、形成部１１１によって、このような入力情報が形成される。
【００３６】
図７は、着信モードが音声メッセージ記録留守番電話モードに指定された場合に形成される入力情報を示す図である。
【００３７】
発信側端末１１０において、着信側端末１５０の電話番号に続いて、着信モードが音声メッセージ記録留守番電話モードに指定されることを表す情報（音声メッセージ記録留守番電話モード指定情報）３３０、メッセージ保存先ａを示す情報４００、メッセージ保存先ｂを示す情報４１０、メッセージ保存期間ａを示す情報５００、メッセージ保存期間ｂを示す情報５１０およびメッセージ保存期間ｃを示す情報５２０としてそれぞれの数値が入力されたとき、形成部１１１によって、このような入力情報が形成される。
【００３８】
音声メッセージ記録留守番電話モード指定情報３３０としては、例えば「０２」という数値が入力される。
【００３９】
また、メッセージ保存先ａを示す情報４００は、発信側端末１１０から送信されるメッセージを、通信システム内のどこに保存すべきかを指定するための情報である。メッセージ保存先ａを示す情報４００としては、例えば、「指定なし」、「センターサーバ保存」および「着信側端末保存」が挙げられる。指定なし、つまり、保存先ａが何にも指定されないことは、例えば「００」という数値の入力によって実現される。センターサーバ保存、つまり、保存先ａがセンターサーバに指定されることは、例えば「０１」という数値の入力によって実現される。着信側端末保存、つまり、保存先ａが着信側端末１５０に指定されることは、例えば「０２」という数値の入力によって実現される。
【００４０】
また、メッセージ保存先ｂを示す情報４１０は、メッセージが着信側端末１５０に保存される場合に着信側端末１５０のどこに保存すべきかを指定するための情報である。メッセージ保存先ｂを示す情報４１０としては、例えば、「指定なし」、「内部メモリ保存」および「リムーバブルメディア保存」が挙げられる。指定なし、つまり、保存先ｂが何にも指定されないことは、例えば「００」という数値の入力によって実現される。内部メモリ保存、つまり、保存先ｂが着信側端末１５０内のメモリ部に指定されることは、例えば「０１」という数値の入力によって実現される。リムーバブルメディア保存、つまり、保存先ｂが着信側端末１５０に接続されたリムーバブルメディアに指定されることは、例えば「０２」という数値の入力によって実現される。
【００４１】
また、メッセージ保存期間ａを示す情報５００は、メッセージが保存される期間の指定方法を選択するための情報である。メッセージ保存期間ａを示す情報５００としては、例えば、「指定なし」、「定義済み期間選択」および「ユーザ任意期間設定」が挙げられる。指定なしの場合、つまり、保存期間の指定方法が選択されないことは、例えば「００」という数値の入力によって実現される。定義済み期間選択は、例えば「０１」という数値の入力によって実現される。定義済み期間選択とは、予め定義された幾つかの候補の中のいずれかを選択することによって保存期間を指定するという方法である。ユーザ任意期間設定は、例えば「０２」という数値の入力によって実現される。ユーザ任意期間設定とは、発信側端末１１０のユーザによって任意の保存期間が指定されるという方法である。
【００４２】
また、メッセージ保存期間ｂを示す情報５１０は、定義済み期間選択の場合、予め定義された幾つかの候補の中から選択された保存期間を示すための情報となる。この場合、メッセージ保存期間ｂを示す情報５１０としては、例えば、「６０分」、「３時間」、「６時間」、「１２時間」、「２４時間」、「３日間」、「７日間」、「３０日間」、「６０日間」および「９０日間」が挙げられる。６０分の選択は、例えば「００」という数値の入力によって実現される。３時間の選択は、例えば「０１」という数値の入力によって実現される。６時間の選択は、例えば「０２」という数値の入力によって実現される。１２時間の選択は、例えば「０３」という数値の入力によって実現される。２４時間の選択は、例えば「０４」という数値の入力によって実現される。３日間の選択は、例えば「０５」という数値の入力によって実現される。７日間の選択は、例えば「０６」という数値の入力によって実現される。３０日間の選択は、例えば「０７」という数値の入力によって実現される。６０日の選択は、例えば「０８」という数値の入力によって実現される。９０日間の選択は、例えば「０９」という数値の入力によって実現される。
【００４３】
また、メッセージ保存期間ｂを表す情報５１０は、ユーザ任意期間設定の場合、保存期間の単位を指定するための情報となる。この場合、メッセージ保存期間ｂを示す情報５１０としては、例えば、「分」、「時間」、「日」および「月」が挙げられる。分の指定は、例えば「００」という数値の入力によって実現される。時間の指定は、例えば「０１」という数値の入力によって実現される。日の指定は、例えば「０２」という数値の入力によって実現される。月の指定は、例えば「０３」という数値の入力によって実現される。
【００４４】
また、メッセージ保存期間ｃを示す情報５２０は、ユーザ任意期間設定の場合に保存期間の数値を指定するための情報である。メッセージ保存期間ｃを示す情報５２０としては、例えば「００」〜「９９」が挙げられる。「００」〜「９９」の指定は、その数値の入力によって実現される。
【００４５】
図８は、着信モードが動画付き音声メッセージ記録留守番電話モードに指定された場合に形成される入力情報を示す図である。
【００４６】
発信側端末１１０において、着信側端末１５０の電話番号に続いて、着信モードが動画付き音声メッセージ記録留守番電話モードに指定されることを表す情報（動画付き音声メッセージ記録留守番電話モード指定情報）３４０、メッセージ保存先ａを示す情報４００、メッセージ保存先ｂを示す情報４１０、メッセージ保存期間ａを示す情報５００、メッセージ保存期間ｂを示す情報５１０およびメッセージ保存期間ｃを示す情報５２０としてそれぞれの数値が入力されたとき、形成部１１１によって、このような入力情報が形成される。
【００４７】
動画付き音声メッセージ記録留守番電話モード指定情報３４０としては、例えば「０３」という数値が入力される。
【００４８】
このように、発信側端末１１０で着信側端末１５０の着信モードを留守番電話モードおよび非留守番電話モードのいずれかに指定することができる。また、発信側端末１１０で着信側端末１５０の着信モードを留守番電話モードに指定した場合に、メッセージの保存先およびメッセージの保存期間を設定することができる。
【００４９】
以下、図９に示すフロー図を用いて発信側端末１１０の動作の一例を説明する。ここでは、入力情報の入力および送信の手順を説明する。
【００５０】
まず、ステップＳ１０１で、相手先である着信側端末１５０の電話番号が入力される。これにより、前述の情報２００が形成部１１１によって形成される。
【００５１】
次いで、ステップＳ１０２で、特定の着信モードを指定する番号が入力される。このとき例えば「００」が入力されれば、指定される着信モードは音声通話モードであり、形成部１１１によって、音声通話モード指定情報３１０が形成される。また、このとき例えば「０１」が入力されれば、指定される着信モードはＴＶ電話モードであり、形成部１１１によって、ＴＶ電話モード指定情報３２０が形成される。また、このとき例えば「０２」が入力されれば、指定される着信モードは音声メッセージ記録留守番電話モードであり、形成部１１１によって、音声メッセージ記録留守番電話モード指定情報３３０が形成される。また、このとき例えば「０３」が入力されれば、指定される着信モードは動画付き音声メッセージ記録留守番電話モードであり、形成部１１１によって、動画付き音声メッセージ記録留守番電話モード指定情報３４０が形成される。
【００５２】
ステップＳ１０３では、形成部１１１によって、留守番電話モードであるか否かが判定される。具体的には、指定される着信モードが、音声メッセージ記録留守番電話モードおよび動画付き音声メッセージ記録留守番電話モードのいずれかであるか否かが判定される。
【００５３】
指定される着信モードが留守番電話モードでない場合（Ｓ１０３：ＮＯ）、つまり、指定される着信モードが音声通話モードまたはＴＶ電話モードである場合、ステップＳ１０４に進む。
【００５４】
ステップＳ１０４では、送信部１１２によって、着信モード指定情報３００が送信される。
【００５５】
指定される着信モードが留守番電話モードである場合（Ｓ１０３：ＹＥＳ）、つまり、指定される着信モードが音声メッセージ記録留守番電話モードまたは動画付き記録留守番電話モードである場合、ステップＳ１０５に進む。
【００５６】
ステップＳ１０５では、メッセージ保存先ａを指定する番号が入力される。このとき例えば「００」が入力されれば、保存先は指定されず、形成部１１１によって、その旨を示す情報４００が形成される。また、このとき例えば「０１」が入力されれば、指定される保存先はセンターサーバ１３０であり、形成部１１１によって、その旨を示す情報４００が形成される。また、このとき例えば「０２」が入力されれば、指定される保存先は着信側端末１５０であり、形成部１１１によって、その旨を示す情報４００が形成される。
【００５７】
次いで、ステップＳ１０６では、形成部１１１によって、指定される保存先が着信側端末１５０であるか否かが判定される。
【００５８】
指定される保存先が着信側端末１５０でない場合（Ｓ１０６：ＮＯ）、つまり、指定される保存先がない場合、あるいは、指定される保存先がセンターサーバ１３０である場合、ステップＳ１０７に進む。
【００５９】
指定される保存先が着信側端末１５０である場合（Ｓ１０６：ＹＥＳ）、ステップＳ１０８で、メッセージ保存先ｂを指定する番号が入力される。このとき例えば「００」が入力されれば、保存先は指定されず、形成部１１１によって、その旨を示す情報４１０が形成される。また、このとき例えば「０１」が入力されれば、指定される保存先はメモリ部であり、形成部１１１によって、その旨を示す情報４１０が形成される。また、このとき例えば「０２」が入力されれば、指定される保存先はリムーバブルメディアであり、形成部１１１によって、その旨を示す情報４１０が形成される。そして、ステップＳ１０７に進む。
【００６０】
ステップＳ１０７では、メッセージ保存期間ａを指定する番号が入力される。このとき例えば「００」が入力されれば、保存期間の指定方法は選択されず、形成部１１１によって、その旨を示す情報５００が形成される。また、このとき例えば「０１」が入力されれば、選択される保存期間の指定方法は定義済み期間選択であり、形成部１１１によって、その旨を示す情報５００が形成される。また、このとき例えば「０２」が入力されれば、選択される保存期間の指定方法はユーザ任意期間設定であり、形成部１１１によって、その旨を示す情報５００が形成される。
【００６１】
次いで、ステップＳ１０９では、形成部１１１によって、保存期間の指定方法が「指定なし」であるか否かが判定される。
【００６２】
保存期間の指定方法が「指定なし」である場合（Ｓ１０９：ＹＥＳ）、ステップＳ１０４に進む。
【００６３】
保存期間の指定方法が「指定なし」でない場合（Ｓ１０９：ＮＯ）、つまり、保存期間の指定方法が「定義済み期間選択」または「ユーザ任意期間設定」である場合、ステップＳ１１０に進む。ステップＳ１１０では、形成部１１１によって、保存期間の指定方法が「定義済み期間選択」であるか否かが判定される。保存期間の指定方法が「定義済み期間選択」である場合（Ｓ１１０：ＹＥＳ）、ステップＳ１１１に進む。保存期間の指定方法が「定義済み期間選択」でない場合（Ｓ１１０：ＮＯ）、つまり保存期間の指定方法が「ユーザ任意期間設定」である場合、ステップＳ１１２に進む。
【００６４】
ステップＳ１１１では、メッセージ保存期間ｂを指定する番号が入力される。このとき例えば「００」が入力されれば、選択される保存期間は６０分であり、形成部１１１によって、その旨を示す情報５１０が形成される。また、このとき例えば「０１」が入力されれば、選択される保存期間が３時間であり、形成部１１１によって、その旨を示す情報５１０が形成される。また、このとき例えば「０２」が入力されれば、選択される保存期間は６時間であり、形成部１１１によって、その旨を示す情報５１０が形成される。また、このとき例えば「０３」が入力されれば、選択される保存期間は１２時間であり、形成部１１１によって、その旨を示す情報５１０が形成される。また、このとき例えば「０４」が入力されれば、選択される保存期間は２４時間であり、形成部１１１によって、その旨を示す情報５１０が形成される。また、このとき例えば「０５」が入力されれば、選択される保存期間は３日間であり、形成部１１１によって、その旨を示す情報５１０が形成される。また、このとき例えば「０６」が入力されれば、選択される保存期間は７日間であり、形成部１１１によって、その旨を示す情報５１０が形成される。また、このとき例えば「０７」が入力されれば、選択される保存期間は３０日間であり、形成部１１１によって、その旨を示す情報５１０が形成される。また、このとき例えば「０８」が入力されれば、選択される保存期間は６０日間であり、形成部１１１によって、その旨を示す情報５１０が形成される。また、このとき例えば「０９」が入力されれば、選択される保存期間は９０日間であり、形成部１１１によって、その旨を示す情報５１０が形成される。そして、ステップＳ１０４に進む。
【００６５】
ステップＳ１１２では、メッセージ保存期間ｂを指定する番号が入力される。このとき例えば「００」が入力されれば、指定される保存期間の単位は分であり、形成部１１１によって、その旨を示す情報５１０が形成される。また、このとき例えば「０１」が入力されれば、指定される保存期間の単位は時間であり、形成部１１１によって、その旨を示す情報５１０が形成される。また、このとき例えば「０２」が入力されれば、指定される保存期間の単位は日であり、形成部１１１によって、その旨を示す情報５１０が形成される。また、このとき例えば「０３」が入力されれば、指定される保存期間の単位は月であり、形成部１１１によって、その旨を示す情報５１０が形成される。
【００６６】
そして、ステップＳ１１３では、メッセージ保存期間ｃを指定する番号が入力される。このとき例えば「００」から「９９」のいずれかの番号が入力されれば、入力された番号がそのまま保存期間の数値として指定される。そして、ステップＳ１０４に進む。
【００６７】
以下、図１０に示すフロー図を用いて着信側端末１５０における処理を説明する。この処理は、発信側端末１１０により指定された着信モード指定情報３００に基づいて、着信モードを音声通話モード３１０、ＴＶ電話モード３２０、音声メッセージ記録留守番電話モード３３０および動画付き音声メッセージ記録留守番電話モード３４０のいずれかに決定して着信するための処理である。
【００６８】
まず、ステップＳ２０１では、設定部１５２によって、着信モードの判定処理が行われ、着信モードが決定される。着信モード判定処理の詳細については後述する。
【００６９】
次いで、ステップＳ２０２では、設定部１５２によって、決定された着信モードが留守番電話モードであるか否かが判定される。具体的には、決定された着信モードが音声メッセージ記録留守番電話モードおよび動画付き音声メッセージ記録留守番電話モードのいずれかであるか否かが判定される。
【００７０】
決定された着信モードが留守番電話モードでない場合（Ｓ２０２：ＮＯ）、つまり、決定された着信モードが音声通話モードまたはＴＶ電話モードである場合、ステップＳ２０３では、非留守番電話モード、つまり音声通話モードまたはＴＶ電話モードで着信が行われる。
【００７１】
決定された着信モードが留守番電話モードである場合（Ｓ２０２：ＹＥＳ）、つまり、決定された着信モードが音声メッセージ記録留守番電話モードまたは動画付き音声メッセージ記録留守番電話モードである場合、ステップＳ２０４では、設定部１５２によって、メッセージの保存先およびメッセージの保存期間の判定処理が行われる。メッセージの保存先およびメッセージの保存期間の判定処理の詳細については、後述する。
【００７２】
次いで、ステップＳ２０５では、留守番電話モード、つまり音声メッセージ記録留守番電話モードまたは動画付き音声メッセージ記録留守番電話モードで着信が行われる。
【００７３】
以下、図１１に示すフロー図を用いて、着信モード判定処理について詳細に説明する。ここでは、着信側端末１５０の設定部１５２によって、予め着信モードが設定されている場合を例にとって説明する。
【００７４】
まず、ステップＳ３０１では、発信側端末１１０により指定された着信モードと着信側端末１５０に予め設定されている着信モードとが比較される。次いでこれらが異なっているか否かが判定される。
【００７５】
指定された着信モードと予め設定された着信モードとが同じである場合（Ｓ３０１：ＮＯ）、ステップＳ３０２に進む。
【００７６】
ステップＳ３０２では、着信側端末１５０の着信モードが、発信側端末１１０により指定された着信モードに設定され、着信が行われる。より具体的には、着信側端末１５０の着信モードは、音声通話モードに指定されていれば音声通話モードに設定され、ＴＶ電話モードに指定されていればＴＶ電話モードに設定され、音声メッセージ記録留守番電話モードに指定されていれば音声メッセージ記録留守番電話モードに設定され、動画付き音声メッセージ記録留守番電話モードに指定されていれば動画付き音声メッセージ記録留守番電話モードに設定される。
【００７７】
指定された着信モードと予め設定されている着信モードとが異なっている場合（Ｓ３０１：ＹＥＳ）、ステップＳ３０３では、発信側端末１１０が予め登録されているか否かが判定される。
【００７８】
より具体的には、着信側端末１５０のメモリ部（図示せず）には、着信モードの指定が許可された通信端末のリストが予め保存されている。設定部１５２では、発信側端末１１０がこのリストに登録されているか否かが判定される。なお、メモリ部には、着信モードの指定が許可されない通信端末のリストを予め保存されていても良い。
【００７９】
発信側端末１１０が予め登録されている場合（Ｓ３０３：ＹＥＳ）、発信側端末１１０により指定された着信モードが優先され、ステップＳ３０２に進む。
【００８０】
発信側端末１１０が予め登録されていない場合（Ｓ３０３：ＮＯ）、ステップＳ３０４では、着信側端末１５０に予め暗証番号が設定されているか否かが判定される。なお、この暗証番号は、着信側端末１５０に固有の認証情報の一例として用いられるものである。暗証番号が予め設定されている場合、この暗証番号は例えばメモリ部に記憶されている。
【００８１】
着信側端末１５０に予め暗証番号が設定されている場合（Ｓ３０４：ＹＥＳ）、ステップＳ３０５に進む。着信側端末１５０に予め暗証番号が設定されていない場合（Ｓ３０４：ＮＯ）、ステップＳ３０７に進む。
【００８２】
ステップＳ３０５では、発信側端末１１０に対して暗証番号の入力が要求される。この要求は音声ガイダンスにより行われる。そして、音声ガイダンスに従って発信側端末１１０から入力された番号が取得される。
【００８３】
次いで、ステップＳ３０６では、入力された番号と予め設定されている暗証番号とが比較され、これらが一致しているか否かが判定される。入力された番号と予め設定されている暗証番号とが一致している場合（Ｓ３０６：ＹＥＳ）、発信側端末１１０により指定された着信モードが優先され、ステップＳ３０２に進む。
【００８４】
入力された番号と予め設定されている暗証番号とが一致していない場合（Ｓ３０６：ＮＯ）、ステップＳ３０７に進む。
【００８５】
ステップＳ３０７では、予め設定されている着信モードが優先されることが発信側端末１１０に対して音声ガイダンスにより通知される。なお、発信側端末１１０で、着信側端末１５０に設定されている着信モードが拒否された場合、接続が切断される。
【００８６】
次いで、ステップＳ３０８では、着信側端末１５０に予め設定されている着信モードに設定され、着信が行われる。例えば、着信側端末１５０の着信モードが音声通話モードに予め設定されていればその設定が継続され、ＴＶ電話モードに予め設定されていればその設定が継続され、音声メッセージ記録留守番電話モードに予め設定されていればその設定が継続され、動画付き音声メッセージ記録留守番電話モードに予め設定されていればその設定が継続される。
【００８７】
このように、発信側端末１１０により指定された着信モードと着信側端末１５０に予め設定された着信モードとが比較され、比較された結果に基づいて、それらのいずれに設定するかが決定される。また、音声通話モード３１０、ＴＶ電話モード３２０、音声メッセージ記録留守番電話モード３３０および動画付き音声メッセージ記録留守番電話モード３４０のいずれかに設定され、着信が行われる。
【００８８】
なお、図１１では、設定部１５２によって予め着信モードが設定されていることを前提として説明したが、着信モードが予め設定されていない場合は、発信側端末１１０から指定された着信モードを常に優先し、指定された着信モードで着信を行うことができる。
【００８９】
以下、図１２Ａおよび図１２Ｂに示すフロー図を用いて、メッセージの保存先およびメッセージの保存期間の判定処理について詳細に説明する。ここでは、設定部１５２によって予めメッセージの保存先およびメッセージの保存期間が設定されている場合を例にとって説明する。
【００９０】
まず、ステップＳ４０１では、発信側端末１１０により指定されたメッセージの保存先と着信側端末１５０に予め設定されているメッセージの保存先とが比較される。次いでこれらが異なっているか否かが判定される。
【００９１】
指定された保存先と予め設定された保存先とが同じである場合（Ｓ４０１：ＮＯ）、ステップＳ４０２に進む。
【００９２】
ステップＳ４０２では、メッセージの保存先が、指定された保存先に設定される。より具体的には、メッセージの保存先は、着信側端末１５０のメモリ部に指定されていれば着信側端末１５０のメモリ部に設定され、着信側端末１５０のリムーバブルメディアに指定されていれば着信側端末１５０のリムーバブルメディアに設定され、センターサーバ１３０に指定されていればセンターサーバ１３０に設定される。そして、ステップＳ４０９に進む。
【００９３】
指定された保存先と予め設定された保存先とが異なっている場合（Ｓ４０１：ＹＥＳ）、ステップＳ４０３では、発信側端末１１０が前述のリストに登録されているか否かが判定される。
【００９４】
発信側端末１１０が予めリストに登録されている場合（Ｓ４０３：ＹＥＳ）、発信側端末１１０により指定されたメッセージの保存先が優先され、ステップＳ４０２に進む。
【００９５】
発信側端末１１０がリストに登録されていない場合（Ｓ４０３：ＮＯ）、ステップＳ４０４では、前述の暗証番号が予め設定されているか否かが判定される。
【００９６】
予め暗証番号が設定されている場合（Ｓ４０４：ＹＥＳ）、ステップＳ４０５に進み、暗証番号が設定されていない場合（Ｓ４０４：ＮＯ）、ステップＳ４０７に進む。
【００９７】
ステップＳ４０５では、発信側端末１１０に対して暗証番号の入力が要求される。この要求は音声ガイダンスにより行われる。そして、音声ガイダンスに従って発信側端末１１０によって入力された番号が取得される。
【００９８】
次いで、ステップＳ４０６では、入力された番号と予め設定されている暗証番号とが比較され、これらが一致しているか否かが判定される。入力された番号と予め設定されている暗証番号とが一致している場合（Ｓ４０６：ＹＥＳ）、ステップＳ４０２に進み、入力された番号と予め設定されている暗証番号とが一致していない場合（Ｓ４０６：ＮＯ、ステップＳ４０７に進む。
【００９９】
ステップＳ４０７では、予め設定されている保存先が優先されることが発信側端末１１０に対して音声ガイダンスにより通知される。なお、発信側端末１１０で、着信側端末１５０に設定されているメッセージの保存先が拒否された場合、接続が切断される。
【０１００】
次いで、ステップＳ４０８では、着信側端末１５０に予め設定されているメッセージの保存先に設定され、着信が行われる。例えば、メッセージの保存先は、着信側端末１５０のメモリ部に予め設定されていればその設定が継続され、着信側端末１５０のリムーバブルメディアに予め設定されていればその設定が継続され、センターサーバ１３０に予め設定されていればその設定が継続される。そして、ステップＳ４０９に進む。
【０１０１】
ステップＳ４０９では、設定されたメッセージの保存先が着信側端末１５０であるか否かが判定される。
【０１０２】
保存先が着信側端末１５０でない場合（Ｓ４０９：ＮＯ）、つまり、保存先がセンターサーバ１３０である場合、ステップＳ４１２に進む。保存先が着信側端末１５０である場合（Ｓ４０９：ＹＥＳ）、つまり、保存先が着信側端末１５０のメモリ部またはリムーバブルメディアである場合、ステップＳ４１０に進む。
【０１０３】
ステップＳ４１０では、設定された保存先に十分な空き領域があるか否かが判定される。
【０１０４】
十分な空き領域がない場合（Ｓ４１０：ＮＯ）、ステップＳ４１１で、保存先がセンターサーバ１３０に設定し直され、その後、ステップＳ４１２に進む。
【０１０５】
十分な空き領域がある場合（Ｓ４１０：ＹＥＳ）、ステップＳ４１２に進む。
【０１０６】
ステップＳ４１２では、発信側端末１１０により指定されたメッセージの保存期間と着信側端末１５０に予め設定されているメッセージの保存期間とが比較される。次いでこれらが異なっているか否かが判定される。
【０１０７】
指定された保存期間と予め設定された保存期間とが同じである場合（Ｓ４１２：ＮＯ）、ステップＳ４１３に進む。
【０１０８】
ステップＳ４１３では、メッセージの保存期間が、発信側端末１１０により指定された保存期間に設定される。
【０１０９】
指定された保存期間と予め設定された保存期間とが異なっている場合（Ｓ４１２：ＹＥＳ）、ステップＳ４１４では、発信側端末１１０が前述のリストに登録されているか否かが判定される。
【０１１０】
発信側端末１１０が予めリストに登録されている場合（Ｓ４１４：ＹＥＳ）、発信側端末１１０により指定されたメッセージの保存期間が優先され、ステップＳ４１３に進む。
【０１１１】
発信側端末１１０がリストに登録されていない場合（Ｓ４１４：ＮＯ）、ステップＳ４１５では、前述の暗証番号が予め設定されているか否かが判定される。
【０１１２】
予め暗証番号が設定されている場合（Ｓ４１５：ＹＥＳ）、ステップＳ４１６に進み、暗証番号が設定されていない場合（Ｓ４１５：ＮＯ）、ステップＳ４１８に進む。
【０１１３】
ステップＳ４１６では、発信側端末１１０に対して暗証番号の入力が要求される。この要求は音声ガイダンスにより行われる。そして、音声ガイダンスに従って発信側端末１１０によって入力された番号が取得される。
【０１１４】
次いで、ステップＳ４１７では、入力された番号と予め設定されている暗証番号とが比較され、これらが一致しているか否かが判定される。入力された番号と予め設定されている暗証番号とが一致している場合（Ｓ４１７：ＹＥＳ）、ステップＳ４１３に進み、入力された番号と予め設定されている暗証番号とが一致していない場合（Ｓ４１７：ＮＯ）、ステップＳ４１８に進む。
【０１１５】
ステップＳ４１８では、予め設定されている保存期間が優先されることが発信側端末１１０に対して音声ガイダンスにより通知される。なお、発信側端末１１０で、着信側端末１５０に設定されているメッセージの保存期間が拒否された場合、接続が切断される。
【０１１６】
次いで、ステップＳ４１９では、着信側端末１５０に予め設定されているメッセージの保存期間に設定され、着信が行われる。
【０１１７】
このように、着信モードが留守番電話モード、例えば音声メッセージ記録留守番電話モード３３０および動画付き音声メッセージ記録留守番電話モード３４０のいずれかに設定された場合に、メッセージの保存先およびメッセージの保存期間が設定される。つまり、発信側端末１１０により指定された保存先および保存期間と着信側端末１５０に予め設定された保存先および保存期間とが比較され、比較された結果に基づいて、それらのいずれに設定するかが決定される。また、設定された保存先および保存期間に基づいて着信が行われる。
【０１１８】
なお、図１２Ａおよび図１２Ｂでは、設定部１５２によって予めメッセージの保存先およびメッセージの保存期間が設定されていることを前提として説明したが、メッセージの保存先およびメッセージの保存期間が予め設定されていない場合は、発信側端末１１０から指定されたメッセージの保存先およびメッセージの保存期間を常に優先し、指定されたメッセージの保存先およびメッセージの保存期間で着信を行うことができる。
【０１１９】
以下、移動体通信システム１００内で送受信される情報およびその送受信手順について説明する。ここでは５つの例を挙げ、それぞれ図１３から図１７を用いて説明する。
【０１２０】
図１３は、送受信手順の第１例を示すシーケンス図である。この例は、発信側端末１１０により指定された着信モードと着信側端末１５０に予め設定されている着信モードとが一致し、最終的に設定された着信モードが音声通話モードまたはＴＶ電話モードである場合を示している。
【０１２１】
まず、ステップＳ５０１で、発信側端末１１０に、着信側端末１５０の電話番号および着信モード指定情報３００（音声通話モード指定情報３１０またはＴＶ電話モード指定情報３２０のいずれか）が入力される。
【０１２２】
次いで、ステップＳ５０２で、発信側端末１１０から基地局１２０へ接続要求ａが行われる。この時、発信側端末１１０に入力された着信側端末１５０の電話番号が基地局１２０に送信される。次いで、ステップＳ５０３で、基地局１２０から基地局１４０へ呼出要求が行われる。この時、発信側端末１１０から受信された着信側端末１５０の電話番号が基地局１４０に送信される。次いで、ステップＳ５０４で、基地局１４０は、基地局１２０から受信された着信側端末１５０の電話番号に基づいて、着信側端末１５０へ呼出要求を行う。このように、発信側端末１１０から着信側端末１５０へ接続要求が行われる。
【０１２３】
また、ステップＳ５０２での接続要求ａの後、ステップＳ５０５では、発信側端末１１０と基地局１２０とが通信を行うためのパス接続処理が行われる。
【０１２４】
ステップＳ５０６では、着信側端末１５０は、基地局１４０からの呼出要求に対して、基地局１４０へ呼出要求応答を行う。次いで、ステップＳ５０７で、基地局１４０は、着信側端末１５０からの呼出要求応答に基づいて、基地局１２０へ呼出要求応答を行う。次いで、ステップＳ５０８で、基地局１２０は、基地局１４０からの呼出要求応答に基づいて、発信側端末１１０へ接続要求ａ応答信号を送信する。このように、着信側端末１５０から発信側端末１１０へ接続要求応答が行われる。
【０１２５】
また、ステップＳ５０６での呼出要求応答の後、ステップＳ５０９では、着信側端末１５０と基地局１４０とが通信を行うためのパス接続処理が行われる。
【０１２６】
ステップＳ５１０では、発信側端末１１０から基地局１２０へ接続要求ｂが行われる。この時、着信側端末１５０の電話番号、発信側端末１１０の電話番号および着信モード指定情報３００が基地局１２０に送信される。次いで、ステップＳ５１１で、基地局１２０から基地局１４０へ接続要求ｂが行われる。この時、発信側端末１１０から受信された着信側端末１５０の電話番号、発信側端末１１０の電話番号および着信モード指定情報３００が基地局１４０に送信される。次いで、ステップＳ５１２で、基地局１４０から着信側端末１５０へ着信要求が行われる。この時、基地局１２０から受信された着信側端末１５０の電話番号、発信側端末１１０の電話番号および着信モード指定情報３００が着信側端末１５０に送信される。このように、発信側端末１１０から着信側端末１５０へ接続要求が行われる。
【０１２７】
次いで、ステップＳ５１３で、着信側端末１５０は、基地局１４０からの着信要求に基づいて、前述の着信モード判定処理を行う。この例では、音声通話モードまたはＴＶ電話モードのいずれかで着信することが決定される。
【０１２８】
次いで、ステップＳ５１４で、着信側端末１５０において、通話開始処理が行われる。通話開始処理は、例えば、着信者が着信側端末１５０の受話器をあげる動作またはその動作に類する操作によって引き起こされる。
【０１２９】
次いで、ステップＳ５１５で、着信側端末１５０は、基地局１４０からの着信要求に対して、基地局１４０へ着信要求応答を行う。次いで、ステップＳ５１６で、基地局１４０は、着信側端末１５０からの着信要求応答に基づいて、基地局１２０へ接続要求ｂ応答を行う。次いで、ステップＳ５１７で、基地局１２０は、基地局１４０からの接続要求ｂ応答に基づいて、発信側端末１１０へ接続要求ｂ応答信号を送信する。このように、着信側端末１５０から発信側端末１１０へ接続要求応答が行われる。
【０１３０】
次いで、ステップＳ５１８で、音声通話またはＴＶ電話が実行される。
【０１３１】
図１４は、送受信手順の第２例を示すシーケンス図である。この例は、発信側端末１１０により指定された着信モードと着信側端末１５０に予め設定されている着信モードとが相違し、最終的に設定された着信モードが音声通話モードまたはＴＶ電話モードである場合を示している。
【０１３２】
また、図１４で説明するステップのうち図１３で説明したものについては、同一の参照番号を付し、その詳細な説明を省略する。
【０１３３】
まず、ステップＳ５０１からステップＳ５１２が、図１３に示した第１例と同様に実行される。
【０１３４】
次いで、ステップＳ６０１で、着信側端末１５０は、基地局１４０からの着信要求に基づいて、前述の着信モード判定処理を行う。この例では、指定された着信モードと予め設定されている着信モードとが一致していないと判定される。
【０１３５】
次いで、ステップＳ６０２では、着信側端末１５０は、基地局１４０からの着信要求に対して、基地局１４０へ着信要求応答を行う。次いで、ステップＳ６０３で、基地局１４０は、着信側端末１５０からの着信要求応答に基づいて、基地局１２０へ接続要求ｂ応答を行う。次いで、ステップＳ６０４で、基地局１２０は、基地局１４０からの接続要求ｂ応答に基づいて、発信側端末１１０へ接続要求ｂ応答信号を送信する。このように、着信側端末１５０から発信側端末１１０へ接続要求応答が行われる。
【０１３６】
次いで、ステップＳ６０５で、発信側端末１１０は、基地局１２０から受信された接続要求ｂ応答信号に基づき、暗証番号を入力するよう音声ガイダンスで指示が行われる。このように、発信側端末１１０に暗証番号の入力が求められる。そして、音声ガイダンスに従って発信側端末１１０に番号が入力される。
【０１３７】
次いで、ステップＳ６０６で、発信側端末１１０から基地局１２０へ接続要求ｃが行われる。この時、着信側端末１５０の電話番号、発信側端末１１０の電話番号、着信モード指定情報３００および入力された番号が基地局１２０に送信される。次いで、ステップＳ６０７で、基地局１２０から基地局１４０へ接続要求ｃが行われる。この時、発信側端末１１０から受信された着信側端末１５０の電話番号、発信側端末１１０の電話番号、着信モード指定情報３００および入力された番号が基地局１４０に送信される。次いで、ステップＳ６０８で、基地局１４０から着信側端末１５０へ着信認証要求が行われる。この時、発信側端末１１０から受信された着信側端末１５０の電話番号、発信側端末１１０の電話番号、着信モード指定情報３００および入力された番号が着信側端末１５０に送信される。このように、発信側端末１１０から着信側端末１５０へ接続要求が行われる。
【０１３８】
次いで、ステップＳ６０９で、着信側端末１５０は、基地局１４０からの着信認証要求に基づいて、前述の着信モード判定処理の続きを行う。この例では、発信側端末１１０に入力された番号と着信側端末１５０に予め設定されている暗証番号とが一致していると判定される。よって、発信側端末１１０により指定された着信モードが優先され、指定された着信モードで着信することが決定される。
【０１３９】
次いで、ステップＳ６１０で、着信側端末１５０において、通話開始処理が行われる。通話開始処理は、例えば、着信者が着信側端末１５０の受話器をあげる動作またはその動作に類する操作によって引き起こされる。
【０１４０】
次いで、ステップＳ６１１で、着信側端末１５０は、基地局１４０からの着信認証要求に対して、基地局１４０へ着信要求応答を行う。次いで、ステップＳ６１２で、基地局１４０は、着信側端末１５０からの着信要求応答に基づいて、基地局１２０へ接続要求ｃ応答を行う。次いで、ステップＳ６１３で、基地局１２０は、基地局１４０からの接続要求ｃ応答に基づいて、発信側端末１１０へ接続要求ｃ応答信号を送信する。このように、着信側端末１５０から発信側端末１１０へ接続要求ｃ応答が行われる。次いでステップＳ５１８に進む。
【０１４１】
図１５は、送受信手順の第３例を示すシーケンス図である。この例は、着信モードが音声メッセージ記録留守番電話モード３３０または動画付き音声メッセージ記録留守番電話モード３４０に設定され、且つ、保存先が着信側端末１５０に決定された場合を示している。
【０１４２】
まず、ステップＳ７０１で、発信側端末１１０に、着信側端末１５０の電話番号および着信モード指定情報３００（音声メッセージ記録留守番電話モード指定情報３３０および動画付き音声メッセージ記録留守番電話モード指定情報３４０のいずれか、ならびに情報４００、４１０、５００、５１０、５２０）が入力される。
【０１４３】
次いで、ステップＳ７０２で、発信側端末１１０から基地局１２０へ接続要求ａが行われる。この時、発信側端末１１０に入力された着信側端末１５０の電話番号が基地局１２０に送信される。次いで、ステップＳ７０３で、基地局１２０から基地局１４０へ呼出要求が行われる。この時、発信側端末１１０から受信された着信側端末１５０の電話番号が基地局１４０に送信される。次いで、ステップＳ７０４で、基地局１４０は、基地局１２０から受信された着信側端末１５０の電話番号に基づいて、着信側端末１５０へ呼出要求を行う。このように、発信側端末１１０から着信側端末１５０へ接続要求が行われる。
【０１４４】
また、接続要求ａの後、ステップＳ７０５で、発信側端末１１０と基地局１２０とが通信を行うためのパス接続処理が行われる。
【０１４５】
ステップＳ７０４での呼出要求の後、ステップＳ７０６で、着信側端末１５０は、基地局１４０からの呼出要求に対して、基地局１４０へ呼出要求応答を行う。次いで、ステップＳ７０７で、基地局１４０は、着信側端末１５０からの呼出要求応答に基づいて、基地局１２０へ呼出要求応答を行う。次いで、ステップＳ７０８で、基地局１２０は、基地局１４０からの呼出要求応答に基づいて、発信側端末１１０へ接続要求ａ応答信号を送信する。このように、着信側端末１５０から発信側端末１１０へ接続要求応答が行われる。
【０１４６】
また、呼び出し要求応答の後、ステップＳ７０９で、着信側端末１５０と基地局１４０とが通信を行うためのパス接続処理が行われる。
【０１４７】
ステップＳ７０８に続いて、ステップＳ７１０では、発信側端末１１０から基地局１２０へ接続要求ｂが行われる。この時、着信側端末１５０の電話番号、発信側端末１１０の電話番号および着信モード指定情報３００が基地局１２０に送信される。次いで、ステップＳ７１１で、基地局１２０から基地局１４０へ接続要求ｂが行われる。この時、発信側端末１１０から受信された着信側端末１５０の電話番号、発信側端末１１０の電話番号および着信モード指定情報３００が基地局１４０に送信される。次いで、ステップＳ７１２で、基地局１４０から着信側端末１５０へ着信要求が行われる。この時、基地局１２０から受信された着信側端末１５０の電話番号、発信側端末１１０の電話番号および着信モード指定情報３００が着信側端末１５０に送信される。このように、発信側端末１１０から着信側端末１５０へ接続要求が行われる。
【０１４８】
次いで、ステップＳ７１３で、着信側端末１５０は、基地局１４０からの着信要求に基づいて、前述の着信モード判定処理を行う。この例では、音声メッセージ記録留守番電話モードまたは動画付き音声メッセージ記録留守番電話モードのいずれかで着信することが決定される。また、保存先が着信側端末１５０に決定される。
【０１４９】
次いで、ステップＳ７１４で、着信側端末１５０は、基地局１４０からの着信要求に対して、基地局１４０へ着信要求応答を行う。次いで、ステップＳ７１５で、基地局１４０は、着信側端末１５０からの着信要求応答に基づいて、基地局１２０へ接続要求ｂ応答を行う。次いで、ステップＳ７１６で、基地局１２０は、基地局１４０からの接続要求ｂ応答に基づいて、発信側端末１１０へ接続要求ｂ応答信号を送信する。このように、着信側端末１５０から発信側端末１１０へ接続要求応答が行われる。
【０１５０】
次いで、ステップＳ７１７で、音声メッセージ記録または動画付き音声メッセージ記録が行われる。この時、発信側端末で、音声メッセージまたは動画付き音声メッセージが作成される。この作成された音声メッセージまたは動画付き音声メッセージは、着信側端末１１０の内部に保存されることなく、リアルタイムで着信側端末１５０に送信される。着信側端末１５０に送信された音声メッセージまたは動画付き音声メッセージは、着信側端末１５０（メモリ部またはリムーバブルメディア）に記録される。
【０１５１】
図１６は、送受信手順の第４例を示すシーケンス図である。この例は、着信モードが音声メッセージ記録留守番電話モードまたは動画付き音声メッセージ記録留守番電話モードに設定され、且つ、保存先がセンターサーバ１３０に決定された場合を示している。
【０１５２】
なお、図１６で説明するステップのうち図１５で説明したものについては、同一の参照番号を付し、その詳細な説明を省略する。
【０１５３】
まず、ステップＳ８０１で、発信側端末１１０に、着信側端末１５０の電話番号および着信モード指定情報３００（音声メッセージ記録留守番電話モード指定情報３３０および動画付き音声メッセージ記録留守番電話モード指定情報３４０のいずれか、ならびに情報４００、４１０、５００、５１０、５２０）が入力される。
【０１５４】
次いで、ステップＳ７０２からステップＳ７１２が、図１５に示された第３例と同様に実行される。
【０１５５】
次いで、ステップＳ８０２で、着信側端末１５０は、基地局１４０からの着信要求に基づいて、前述の着信モード判定処理を行う。この例では、音声メッセージ記録留守番電話モードまたは動画付き音声メッセージ記録留守番電話モードのいずれかで着信することが決定される。また、保存先がセンターサーバ１３０に決定される。
【０１５６】
次いで、ステップＳ８０３で、着信側端末１５０は、基地局１４０へセンター接続要求を行う。次いで、ステップＳ８０４で、基地局１４０は、着信側端末１５０からのセンター接続要求に基づいて、センターサーバ１３０へセンター接続要求を行う。このように、着信側端末１５０からセンターサーバ１３０へセンター接続要求が行われる。
【０１５７】
次いで、ステップＳ８０５で、センターサーバ１３０は、基地局１４０からのセンター接続要求に基づいて、基地局１２０へ発信側端末接続要求を行う。次いで、ステップＳ８０６で、基地局１２０は、センターサーバ１３０からの発信側端末接続要求に基づいて、発信側端末１１０へ発信側端末接続要求を行う。このように、センターサーバ１３０から発信側端末１１０へ発信側端末接続要求が行われる。
【０１５８】
次いで、ステップＳ８０７で、発信側端末１１０は、基地局１２０からの発信側端末接続要求に対して、基地局１２０に発信側端末接続要求応答を行う。次いで、ステップＳ８０８で、基地局１２０は、発信側端末１１０からの発信側端末接続要求応答に基づいて、センターサーバ１３０へ発信側端末接続要求応答を行う。このように、発信側端末１１０からセンターサーバ１３０へ発信側端末接続要求応答が行われる。
【０１５９】
次いで、ステップＳ８０９で、基地局１２０とセンターサーバ１３０とが通信を行うためのパス接続処理が行われる。
【０１６０】
次いで、ステップＳ８１０で、センターサーバ１３０は、基地局１２０からの発信側端末接続要求応答に基づいて、基地局１４０からのセンター接続要求に対するセンター接続応答を基地局１４０へ行う。次いで、ステップＳ８１１で、基地局１４０は、センターサーバ１３０からのセンター接続応答に基づいて、着信側端末１５０へセンター接続応答を行う。このように、センターサーバ１３０から着信側端末１５０へセンター接続応答が行われる。
【０１６１】
次いで、ステップＳ８１２で、着信側端末１５０は、基地局１４０からのセンター接続応答に基づいて、基地局１４０へ着信要求応答を行う。次いで、ステップＳ８１３で、基地局１４０は、着信側端末１５０からの着信要求応答に基づいて、基地局１２０へ接続要求ｂ応答を行う。次いで、ステップＳ８１４で、基地局１２０は、基地局１４０からの接続要求ｂ応答に基づいて、発信側端末１１０へ接続要求ｂ応答信号を送信する。このように、着信側端末１５０から発信側端末１１０へ接続要求応答が行われる。
【０１６２】
次いで、ステップＳ８１５で、音声メッセージ記録または動画付き音声メッセージ記録が行われる。この時、発信側端末１１０で、音声メッセージまたは動画付き音声メッセージが作成される。この作成された音声メッセージまたは動画付き音声メッセージは、発信側端末１１０の内部に保存されることなく、リアルタイムでセンターサーバ１３０に送信される。センターサーバ１３０に送信された音声メッセージまたは動画付き音声メッセージは、センターサーバ１３０のメモリ部（図示せず）に記録される。
【０１６３】
図１７は、送受信手順の第５例を示すシーケンス図である。この例は、音声メッセージまたは動画付き音声メッセージを着信側端末１５０に保存するための送受信手順を示している。
【０１６４】
まず、ステップＳ９０１で、発信側端末１１０と着信側端末１５０とが通信するための接続処理が行われる。
【０１６５】
次いで、ステップＳ９０２で、着信側端末１５０で、基地局１４０へ音声ガイダンスを送出する。次いで、ステップＳ９０３で、基地局１４０は、着信側端末１５０から送出された音声ガイダンスを基地局１２０へ送出する。次いで、ステップＳ９０４で、基地局１２０は、基地局１４０から送出された音声ガイダンスを発信側端末１１０へ送出する。このように、着信側端末１５０から発信側端末１１０へ音声ガイダンスが送出される。
【０１６６】
次いで、ステップＳ９０５で、音声ガイダンス後に音声メッセージ記録が開始される。音声メッセージ記録中には音声メッセージ記録処理が繰り返して行われ、音声メッセージが記録される。より具体的には、ステップＳ９０６で、発信側端末１１０は、基地局１２０へ音声メッセージを送出する。次いで、ステップＳ９０７で、基地局１２０は、発信側端末１１０からの音声メッセージを基地局１４０へ送出する。次いで、ステップＳ９０８で、基地局１４０は、基地局１２０からの音声メッセージを着信側端末１５０に送出する。このように、発信側端末１１０から着信側端末１５０へ音声メッセージが送出される。
【０１６７】
次いで、ステップＳ９０９で、音声メッセージ記録が終了すると、発信側端末１１０で、基地局１２０へパス切断要求を行う。この時、送信終了信号が送信される。
【０１６８】
次いで、ステップＳ９１０で、基地局１２０は、発信側端末１１０からのパス切断要求に基づいて、基地局１４０へパス切断要求を行う。この時、送信終了信号が送信される。次いで、ステップＳ９１１で、基地局１４０は、基地局１２０からのパス切断要求に基づいて、着信側端末１５０へパス切断要求を行う。この時、送信終了信号が送信される。このように、発信側端末１１０から着信側端末１５０へパス切断要求が行われる。
【０１６９】
次いで、ステップＳ９１２で、着信側端末１５０は、基地局１４０からのパス切断要求に対して、基地局１４０へパス切断要求応答を行う。次いで、ステップＳ９１３で、基地局１４０は、着信側端末１５０からのパス切断要求応答に基づいて、基地局１２０にパス切断要求応答を行う。次いで、ステップＳ９１４で、基地局１２０は、基地局１４０からのパス切断要求応答に基づいて、発信側端末１１０へパス切断要求応答を行う。このように、着信側端末１５０から発信側端末１１０へパス切断要求応答が行われる。
【０１７０】
ステップＳ９１２でのパス切断要求応答の後、ステップＳ９１５で、着信側端末１５０は、ディスプレイ（図示せず）にアイコンを表示させる。これによって、着信側端末１５０に音声メッセージまたは動画付き音声メッセージが記録されていることが、着信側端末１５０のユーザに知らせられる。また、着信側端末１５０において、メッセージの記録日時および発信側端末１１０の電話番号を示す情報が保存される。これによって、着信側端末１５０のユーザは、記録されているメッセージがいつ、誰から送られたものかを知ることができる。
【０１７１】
ステップＳ９１４でのパス切断要求応答の後、ステップＳ９１６で、パス切断処理が行われ、発信側端末１１０と基地局１２０とを接続するためのパスが切断される。切断完了時に、ステップＳ９１７で、基地局１２０は、発信側端末１１０へパス切断完了通知を行う。
【０１７２】
ステップＳ９１５でのアイコン表示の後、ステップＳ９１８で、パス切断処理が行われ、着信側端末１５０と基地局１４０とを接続するためのパスが切断される。切断完了時に、ステップＳ９１９で、基地局１４０は、着信側端末１５０へパス切断完了通知を行う。
【０１７３】
なお、メッセージの保存先をセンターサーバ１３０に設定した場合にも、着信側端末１５０は、ディスプレイ（図示せず）にアイコンを表示させる。これによって、着信側端末１５０に音声メッセージまたは動画付き音声メッセージが記録されていることが、着信側端末１５０のユーザに知らせられる。また、着信側端末１５０において、メッセージの記録日時および発信側端末１１０の電話番号を示す情報が保存される。これによって、着信側端末１５０のユーザは、記録されているメッセージがいつ、誰から送られたものかを知ることができる。
【０１７４】
このように、本発明の形態によれば、発信側端末１１０で着信側端末１５０の着信モードを音声通話モード、ＴＶ電話モード、音声メッセージ記録留守番電話モードおよび動画付き音声メッセージ記録留守番電話モードのいずれかに指定し、着信側端末１５０は発信側端末１１０の指定に基づいて着信モードを音声通話モード、ＴＶ電話モード、音声メッセージ記録留守番電話モードおよび動画付き音声メッセージ記録留守番電話モードのいずれかに設定する。よって、着信側端末１５０の着信モードが予め非留守番電話モードである音声通話モードまたはＴＶ電話モードに設定されている場合に、着信側端末１５０の着信モードを留守番電話モードである音声メッセージ記録留守番電話モードまたは動画付き音声メッセージ記録留守番電話モードに指定することにより、発信側端末１１０から着信側端末１５０へそれぞれの音声メッセージまたは動画メッセージをリアルタイムで送信することができる。また、着信側端末１５０の着信モードが予め留守番電話モードである音声メッセージ記録留守番電話モードまたは動画付き音声メッセージ記録留守番電話モードに設定されている場合に、着信側端末１５０の着信モードを非留守番電話モードである音声通話モードまたはＴＶ電話モードに指定することにより、緊急ですぐに連絡をとることができる。また、移動体通信端末（例えば発信側端末１１０および着信側端末１５０）の機能およびサービスを拡張することができる。
【０１７５】
また、発信側端末１１０により指定された着信モードと着信側端末１５０に予め設定されている着信モードとが一致せず、発信側端末１１０が予め着信側端末１５０のリストに登録されていない場合、且つ暗証番号が着信側端末１５０に予め設定されていない場合に、着信側端末１５０に予め設定されている着信モードが優先される。また、発信側端末１１０により指定された着信モードと着信側端末１５０に予め設定されている着信モードとが一致せず、発信側端末１１０が予め着信側端末１５０のリストに登録されていない場合、且つ発信側端末１１０により入力された暗証番号と着信側端末１５０に予め設定されている暗証番号とが一致していない場合に、着信側端末１５０に予め設定されている着信モードが優先される。よって、着信側端末１５０で発信側端末１１０からの悪質な行為を防ぐことができるとともに、セキュリティを強化することができる。また、発信側端末１１０からの緊急性に応じた着信も実現することができる。
【０１７６】
また、発信側端末１１０でメッセージ（音声メッセージおよび動画付き音声メッセージ）の保存先をセンターサーバ１３０および着信側端末１５０のいずれかに指定し、着信側端末１５０は発信側端末１１０の指定に基づいてメッセージの保存先をセンターサーバ１３０および着信側端末１５０のいずれかに設定する。よって、メッセージの保存先をセンターサーバ１３０に指定することで着信側端末１５０の保存領域を配慮することができる。また、メッセージの保存先を着信側端末１５０に指定することで着信側端末１５０からセンターサーバ１３０に問い合わせてメッセージを取り寄せる手間を省くことができる。
【０１７７】
また、発信側端末１１０は、メッセージの保存先を着信側端末１５０のメモリ部および着信側端末１５０に接続されたリムーバブルメディアのいずれかに指定し、着信側端末１５０は発信側端末１１０の指定に基づいてメッセージの保存先を着信側端末１５０のメモリ部および着信側端末１５０に接続されたリムーバブルメディアのいずれかに設定する。よって、発信側端末１１０でメッセージの保存先を着信側端末１５０に接続されたリムーバブルメディアに指定することで、着信側端末１５０のメモリ部の保存領域を配慮するとともに、着信側端末１５０でのメッセージをメモリ部からリムーバブルメディアへの転送作業を省くことができる。
【０１７８】
また、着信側端末１５０は、発信側端末１１０により指定されたメッセージの保存先（メモリ部およびリムーバブルメディアのいずれか）の空き領域が十分でない（不足である）場合に、メッセージの保存先をセンターサーバ１３０に設定し直す。よって、着信側端末１５０でメッセージの保存先を大容量の保存領域を有するセンターサーバ１３０に設定することにより、常にメッセージの保存領域を確保することができる。
【０１７９】
また、発信側端末１１０により指定されたメッセージの保存先と着信側端末１５０に予め設定されているメッセージの保存先とが一致せず、発信側端末１１０が予め着信側端末１５０のリストに登録されていない場合、且つ暗証番号が着信側端末１５０に予め設定されていない場合に、着信側端末１５０に予め設定されているメッセージの保存先が優先される。また、発信側端末１１０により指定されたメッセージの保存先と着信側端末１５０に予め設定されているメッセージの保存先とが一致せず、発信側端末１１０が予め着信側端末１５０のリストに登録されていない場合、且つ発信側端末１１０により入力された暗証番号と着信側端末１５０に予め設定されている暗証番号とが一致していない場合に、着信側端末１５０に予め設定されているメッセージの保存先が優先される。よって、着信側端末１５０で発信側端末１１０からの悪質な行為を防ぐことができるとともに、セキュリティを強化することができる。また、発信側端末１１０から指定されたメッセージ保存先にメッセージを保存することができる。
【０１８０】
また、発信側端末１１０でメッセージの保存期間を指定し、着信側端末１５０は発信側端末１１０の指定に基づいてメッセージの保存期間を設定する。よって、発信側端末１１０では、着信側端末１５０により予めメッセージの保存期間が設定されているか否かに左右されることなく、着信側端末１５０のメッセージの保存期間を指定することができる。また、メッセージ保存先に保存されているメッセージ中の保存期間が過ぎたメッセージに対して削除が行われ、自動的にメッセージ保存先の空き領域を確保することができる。
【０１８１】
また、発信側端末１１０により指定されたメッセージの保存期間と着信側端末１５０に予め設定されているメッセージの保存期間とが一致せず、発信側端末１１０が予め着信側端末１５０のリストに登録されていない場合、且つ暗証番号が着信側端末１５０に予め設定されていない場合に、着信側端末１５０に予め設定されているメッセージの保存期間が優先される。また、発信側端末１１０により指定されたメッセージの保存期間と着信側端末１５０に予め設定されているメッセージの保存期間とが一致せず、発信側端末１１０が予め着信側端末１５０のリストに登録されていない場合、且つ発信側端末１１０により入力された暗証番号と着信側端末１５０に予め設定されている暗証番号とが一致していない場合に、着信側端末１５０に予め設定されているメッセージの保存期間が優先される。よって、着信側端末１５０で発信側端末１１０からの悪質な行為を防ぐことができるとともに、セキュリティを強化することができる。また、発信側端末１１０から指定されたメッセージ保存期間に従ってメッセージを保存することができる。
【産業上の利用可能性】
【０１８２】
本発明の通信システム、通信端末および通信方法は、発信側端末から着信側端末へ音声または動画のメッセージをリアルタイムで送信することができるとともに、メッセージがリアルタイムで着信側端末のユーザに伝えられるか否かを、着信側端末が留守番電話モードに設定されているか否かに左右されることなく、発信側端末が指定することができる効果を有し、音声通話およびＴＶ電話等の複数のモードが用いられる通信システム、通信端末および通信方法として有用である。
【図面の簡単な説明】
【０１８３】
【図１】本発明の一実施の形態に係る移動体通信システムの概略図
【図２】本発明の一実施の形態に係る発信側端末の構成を示すブロック図
【図３】本発明の一実施の形態に係る着信側端末の構成を示すブロック図
【図４】本発明の一実施の形態に係る入力情報を示す図
【図５】本発明の一実施の形態に係る入力情報において、音声通話モードが指定された場合を示す図
【図６】本発明の一実施の形態に係る入力情報において、ＴＶ電話モードが指定された場合を示す図
【図７】本発明の一実施の形態に係る入力情報において、音声メッセージ記録留守番電話モードが指定された場合を示す図
【図８】本発明の一実施の形態に係る入力情報において、動画付き音声メッセージ記録留守番電話モードが指定された場合を示す図
【図９】本発明の一実施の形態に係る発信側端末における処理の一例を示すフロー図
【図１０】本発明の一実施の形態に係る着信側端末における処理の一例を示すフロー図
【図１１】本発明の一実施の形態に係る着信モードの判定処理の一例を示すフロー図
【図１２Ａ】本発明の一実施の形態に係るメッセージ保存先およびメッセージ保存期間の判定処理の一例の一部分を示すフロー図
【図１２Ｂ】本発明の一実施の形態に係るメッセージ保存先およびメッセージ保存期間の判定処理の一例の他の部分を示すフロー図
【図１３】本発明の一実施の形態に係る移動体通信システムにおける送受信手順の第１の例を示すシーケンス図
【図１４】本発明の一実施の形態に係る移動体通信システムにおける送受信手順の第２の例を示すシーケンス図
【図１５】本発明の一実施の形態に係る移動体通信システムにおける送受信手順の第３の例を示すシーケンス図
【図１６】本発明の一実施の形態に係る移動体通信システムにおける送受信手順の第４の例を示すシーケンス図
【図１７】本発明の一実施の形態に係る移動体通信システムにおける送受信手順の第５の例を示すシーケンス図
【符号の説明】
【０１８４】
１００  移動体通信システム
１１０  発信側端末
１１１  形成部
１１２  送信部
１２０、１４０  基地局
１３０  センターサーバ
１５０  着信側端末
１５１  受信部
１５２  設定部
２００  電話番号
３００  着信モード指定情報
３１０  音声通話モード
３２０  ＴＶ電話モード
３３０  音声メッセージ記録留守番電話モード
３４０  動画付き音声メッセージ記録留守番電話モード
４００  メッセージ保存先ａ
４１０  メッセージ保存先ｂ
５００  メッセージ保存期間ａ
５１０  メッセージ保存期間ｂ
５２０  メッセージ保存期間ｃ
【図１】
2007142579.tif 000003
【図２】
2007142579.tif 000004
【図３】
2007142579.tif 000005
【図４】
2007142579.tif 000006
【図５】
2007142579.tif 000007
【図６】
2007142579.tif 000008
【図７】
2007142579.tif 000009
【図８】
2007142579.tif 000010
【図９】
2007142579.tif 000011
【図１０】
2007142579.tif 000012
【図１１】
2007142579.tif 000013
【図１２Ａ】
2007142579.tif 000014
【図１２Ｂ】
2007142579.tif 000015
【図１３】
2007142579.tif 000016
【図１４】
2007142579.tif 000017
【図１５】
2007142579.tif 000018
【図１６】
2007142579.tif 000019
【図１７】
2007142579.tif 000020